(57)【要約】      （修正有）【課題】ネットワーク信号の長距離伝送下で発生する信号減衰、ひずみ等を補償し、ネットワーク信号を正常に安定して伝送させるネットワーク信号増強回路を提供する。【解決手段】回路板上に設置された処理回路１を包含し、処理回路は、ネットワークコネクタと電気的接続される第１連接端１０、ネットワークチップと電気的接続される第２連接端１１を有し、第１連接端と第２連接端の間には対応回路を具えた複数のチャネル１２が接続される。各チャネルには第１連接端、第２連接端の間において、カプリングモジュール１３、雑音干渉防止モジュール１４、信号増強モジュール１５が順に設けられ、信号増強モジュールの電圧源１５１に並列接続されたプルアップ抵抗１５２により信号電圧レベルを補強並びに増幅し、ネットワーク信号の、遠方からの伝送で発生する信号減衰、ひずみ等を補償する。【選択図】図２
0003187459.tif 000002
【実用新案登録請求の範囲】
【請求項１】
回路板上に設置された処理回路を包含し、且つ該処理回路の一側に、ネットワークコネクタとの電気的接続に供される第１連接端が、他側に、ネットワークチップとの電気的接続に供される第２連接端が設けられ、該処理回路の該第１連接端と該第２連接端の間に、二つの対応する線路を具えた複数のチャネルが接続され、各該チャネルは該第１連接端と該第２連接端の間において、順に、カプリングモジュール、雑音干渉防止モジュールが設けられたネットワーク信号増強回路において、
該処理回路は各該チャネル上において、該信号増強モジュールの電圧源が設けられ、該電圧源は一つ或いは一つ以上の該チャネルの二つの線路においてプルアップ抵抗に並列に接続されたことを特徴とする、ネットワーク信号増強回路。
【請求項２】
請求項１記載のネットワーク信号増強回路において、該処理回路が設置された該回路板は、内部において該ネットワークチップに電気的に接続され、該ネットワークチップと該処理回路が電気的に導通し、該処理回路がさらに該回路板の外側の該ネットワークコネクタと電気的接続を呈することを特徴とする、ネットワーク信号増強回路。
【請求項３】
請求項１記載のネットワーク信号増強回路において、該処理回路が設置された該回路板はネットワークコネクタの内部に取り付けられ、該ネットワークコネクタは該処理回路と電気的に導通し、さらに該処理回路を介して該ネットワークコネクタの外部の別の回路システムのネットワークチップと電気的に接続されることを特徴とする、ネットワーク信号増強回路。
【請求項４】
請求項１記載のネットワーク信号増強回路において、該処理回路の信号増強モジュールに設けられた各該プルアップ抵抗の抵抗値は、１００Ωから１００ＫΩとされることを特徴とする、ネットワーク信号増強回路。
【請求項５】
請求項１記載のネットワーク信号増強回路において、該処理回路のカプリングモジュールは各該チャネルの隣り合う線路上において、それぞれ第１コンデンサが直列に接続されていることを特徴とする、ネットワーク信号増強回路。
【請求項６】
請求項１記載のネットワーク信号増強回路において、該処理回路の雑音干渉防止モジュールは各該チャネルの隣り合う線路間において、それぞれ直列接続状の二つの第２コンデンサが並列接続され、並びに各チャネルの二つの線路上の二つの第２コンデンサ間は、それぞれ接地端に接続され、該雑音干渉防止モジュールは各線路上の隣り合い並列接続され二つの第２コンデンサの他側はさらにそれぞれインダクタに直列接続されたことを特徴とする、ネットワーク信号増強回路。
【考案の詳細な説明】
【技術分野】
【０００１】
本考案は一種のネットワーク信号増強回路を提供し、それはネットワーク信号の伝送を処理するのに応用され、特に、処理回路中の信号増強モジュールによりネットワーク信号の長距離伝送により発生する信号減衰、ひずみ等の状況を補償し、ネットワーク信号の正常で安定した伝送を提供する。
【背景技術】
【０００２】
現在、コンピュータテクノロジーは急速に発展し、デスクトップ型コンピュータ或いはノートブック型コンピュータはすでに社会の隅々にまでいきわたり、そのコンピュータ発展の傾向は、演算性能のアップ、速度アップ及び体積の縮小の方向へと邁進している。ネットワーク通信技術が迅速に勃興発展し、人々の生活、学習、作業とレジャーを、以前とは異なる斬新な境地へと導き、人と人との間は、ネットワーク通信を介して必要なリアルタイム情報の相互伝送、広告宣伝或いはメールの往来等ができるようにしている。また、ネットワークによる各種情報のサーチ、リアルタイム通信或いはオンラインゲーム等により、人々とネットワークの間の関係はさらに密接となり不可分となっている。
【０００３】
図６を参照されたい。それは周知の技術の回路図であり、図から明らかであるように、ネットワーク使用時に、回路板上に信号処理回路Ａが設置され、第１連接端Ｂ及び第２連接端Ｃがそれぞれ外部のネットワークコネクタ、ネットワークチップと電気的に接続され、ネットワーク信号がネットワークコネクタを介して第１連接端Ｂに伝送される時には、伝送部Ｄの各伝送線Ｄ１により信号を伝送し、信号がカプリング部Ｅの各カプリングコンデンサＥ１により信号カプリングされ、さらにろ波部Ｆの各ろ波インダクタＦ１により信号中の高周波雑音が除去され、並びに信号が第２連接端Ｃに伝送されて、ネットワークチップに受け取られ、こうしてネットワーク信号の伝送を完成する。また、ネットワーク信号の伝送は、有線或いは無線の方式で実行され、短距離のネットワーク信号伝送を行う時は、外在因子の干渉を受ける状況は少ないため、ネットワーク信号は比較的安定しているが、伝送距離が長くなるにつれ、有線伝送の状況では、長距離のネットワーク信号伝送を行う時には、ネットワーク信号の減衰、不安定な現象が形成されやすく、並びにネットワーク信号の電圧レベル降下、ひずみ等の不良な状況が発生し、これにより、ネットワーク信号の伝送効果が低くなる。
【０００４】
遠方の電子装置から伝送されたネットワーク信号を受け取る時、ネットワーク信号の伝送距離が比較的長く、時間もまた増加するため、ネットワーク信号の長距離経路の伝送を行う時、ネットワーク信号が干渉或いは減衰の形成する信号電圧レベルの低下、ひずみ等の状況が容易に形成されることに対して、周知の技術は、ネットワーク信号に対してただカプリング処理及び雑音のフィルタリングによる除去を行うだけであり、信号強度の、長距離伝送下で発生する減衰に対する補償を行えず、このため、ネッチワークチップの受け取る信号が微弱すぎることになり、並びにデータ伝送の不安定と伝送速度の下降の現象を形成した。
【０００５】
ゆえに、いかに周知の問題と欠点を解決するかが、この業界に従事する関係業者が極めて研究改善しようとする問題の所在である。
【考案の概要】
【考案が解決しようとする課題】
【０００６】
本考案者は、上述の問題と欠点を鑑み、関係データを収集し、多方面からの評価と考察を経て、並びにこの業界で積み重ねた長年の経験を以て、不断に試作及び改良を重ね、ついにこのようなネットワーク信号増強回路の創作を誕生させた。
【０００７】
本考案の主要な目的は、一種の、ネットワーク信号を正常に伝送させるネットワーク信号増強回路を提供し、さらに、信号増強モジュールによりネットワーク信号の長距離伝送下で発生する信号減衰、ひずみ等の状況を補償し、ネットワーク信号の正常で、安定した伝送を提供することにある。
【課題を解決するための手段】
【０００８】
本考案はある実施態様において、回路板上に設置された処理回路を包含し、且つ該処理回路の一側に、ネットワークコネクタとの電気的接続に供される第１連接端が、他側に、ネットワークチップとの電気的接続に供される第２連接端が設けられ、該処理回路の該第１連接端と該第２連接端の間に、二つの対応する線路を具えた複数のチャネルが接続され、各該チャネルは該第１連接端と該第２連接端の間において、順に、カプリングモジュール、雑音干渉防止モジュールが設けられたネットワーク信号増強回路において、
該処理回路は各該チャネル上において、該信号増強モジュールの電圧源が設けられ、該電圧源は一つ或いは一つ以上の該チャネルの二つの線路においてプルアップ抵抗に並列に接続されたことを特徴とする。
本考案は上述の実施態様において、該処理回路が設置された該回路板は、内部において該ネットワークチップに電気的に接続され、該ネットワークチップと該処理回路が電気的に導通し、該処理回路がさらに該回路板の外側の該ネットワークコネクタと電気的接続を呈することを特徴とする。
本考案は上述の実施態様において、該処理回路が設置された該回路板はネットワークコネクタの内部に取り付けられ、該ネットワークコネクタは該処理回路と電気的に導通し、さらに該処理回路を介して該ネットワークコネクタの外部の別の回路システムのネットワークチップと電気的に接続されることを特徴とする。
本考案は上述の実施態様において、該処理回路の信号増強モジュールに設けられた各該プルアップ抵抗の抵抗値は、１００Ωから１００ＫΩとされることを特徴とする。
本考案は上述の実施態様において、該処理回路のカプリングモジュールは各該チャネルの隣り合う線路上において、それぞれ第１コンデンサが直列に接続されていることを特徴とする。
本考案は上述の実施態様において、該処理回路の雑音干渉防止モジュールは各該チャネルの隣り合う線路間において、それぞれ直列接続状の二つの第２コンデンサが並列接続され、並びに各チャネルの二つの線路上の二つの第２コンデンサ間は、それぞれ接地端に接続され、該雑音干渉防止モジュールは各線路上の隣り合い並列接続され二つの第２コンデンサの他側はさらにそれぞれインダクタに直列接続されたことを特徴とする。
【考案の効果】
【０００９】
本考案は、一種の、ネットワーク信号を正常に伝送させるネットワーク信号増強回路を提供し、さらに、信号増強モジュールによりネットワーク信号の長距離伝送下で発生する信号減衰、ひずみ等の状況を補償し、ネットワーク信号の正常で、安定した伝送を提供する。
【図面の簡単な説明】
【００１０】
【図１】本考案の好ましい実施例のブロック図である。
【図２】本考案の好ましい実施例の処理回路の回路図である。
【図３】本考案の別の実施例のブロック図である。
【図４】本考案の別の実施例の処理回路の回路図である。
【図５】本考案の信号波形図である。
【図６】周知の技術の回路図である。
【考案を実施するための形態】
【００１１】
以下に本考案の技術内容、構造特徴、達成する目的及び作用効果について、以下に例を挙げ並びに図面を組み合わせて詳細に説明する。
【００１２】
図１及び図２は、本考案の好ましい実施例のブロック図、好ましい実施例の処理回路の回路図である。これらの図から分かるように、本考案のネットワーク信号増強回路は、処理回路１、回路板２を包含する。
【００１３】
該処理回路１は回路板２上に設置され、且つ処理回路１は一側に第１連接端１０が、もう一側に第２連接端１１が設けられ、該第１連接端１０と該第２連接端１１の間に複数のチャネル１２が接続され、各チャネル１２はそれぞれ二つの線路１２１を具え、また、各チャネル１２には第１連接端１０より第２連接端１１に向けて、順に、カプリングモジュール１３、雑音干渉防止モジュール１４、信号増強モジュール１５が設けられている。カプリングモジュール１３は、各線路１２１上においてそれぞれ直列に接続された第１コンデンサ１３１を有し、雑音干渉防止モジュール１４は各チャネル１２の二つの線路１２１間にそれぞれ並列に接続された、二つの直列接続状を呈する第２コンデンサ１４１を有し、且つ各該第２コンデンサ１４１は隣り合うチャネル１２の第２コンデンサ１４１にそれぞれ電気的に接続されており、並びに各チャネル１２の二つの線路１２１上の二つの第２コンデンサ１４１間はそれぞれ接地端１４２に接続され、また、雑音干渉防止モジュール１４は各線路１２１上の、隣り合い並列する二つの第２コンデンサ１４１の他側において、直列に接続されたインダクタ１４３を有し、且つ雑音干渉防止モジュール１４の他側の信号増強モジュール１５には電圧源１５１が設けられ、該電圧源１５１は外部に設けられた商用電源、発電機或いはバッテリーとされ、電圧源１５１は一つ或いは一つ以上のチャネル１２の二つの線路において、それぞれ並列に接続されたプルアップ抵抗１５２（Ｐｕｌｌ−ｕｐ  ｒｅｓｉｓｔｏｒ）を有し、その抵抗値は１００Ωから１００ＫΩとされ、好ましい実施例では１０ＫΩとされる。すなわち、予め設けられた電圧源１５１より外部が供給する所定電圧バイアス電圧を取得し、各プルアップ抵抗１５２による調整の後、さらにバイアス電圧をそれぞれ各線路１２１に供給し、これにより各線路１２１の入力信号の強度をアップし、これにより、各線路１２１の安定した信号連続伝送の目的を達成する。
【００１４】
前述の処理回路１のチャネル１２の数量は４個とされ得て、且つ四つのチャネルの各線路１２１はそれぞれ第１連接端１０の各端子及び第２連接端１１の各ピンに電気的に接続され、それはそれぞれ、ＭＸ０＋とＭＤ０＋、ＭＸ０−とＭＤ０−、ＭＸ１＋とＭＤ１＋、ＭＸ１−とＭＤ１−、ＭＸ２＋とＭＤ２＋、ＭＸ２−とＭＤ２−、ＭＸ３＋とＭＤ３＋、ＭＸ３−とＭＤ３−とされる。
【００１５】
図１、２、５を参照されたい。それは本考案の好ましい実施例のブロック図、好ましい実施例の処理回路の回路図、信号波形図である。これらの図から分かるように、本考案は使用時に、まず、回路板２上に接地された処理回路１の第１連接端１０及び第２連接端１１がそれぞれ、ネットワークコネクタ３及びネットワークチップ４に電気的に接続され、第１連接端１０を介してネットワークコネクタ３からの入力信号を受け取り、入力信号を処理回路１の各チャネル１２上の二つの線路１２１に伝送させ、並びにカプリングモジュール１３の各第１コンデンサ１３１により入力信号をカプリングし、さらに雑音干渉防止モジュール１４の各第２コンデンサ１４１及び各インダクタ１４３によりそれぞれ入力信号中の低周波雑音及び高周波雑音を除去し、入力信号を信号増強モジュール１５に伝送した後、信号増強モジュール１５の電圧源１５１の供給するバイアス電圧が先に各プルアップ抵抗１５２により調節されて、適当なバイアス電圧とされて各線路１２１に入力され、並びに外部入力信号に長距離伝送により発生した減衰（図５中のａ波形、そのうちＴは時間で、Ｖは電圧レベルである）を補償し、並びに入力信号を補償によりオリジナル信号電圧レベル（図５のｂ波形）までアップさせ、さらに処理回路１の第２連接端１１を介して、入力信号をネットワークチップ４まで伝送する。ゆえに、本考案は入力信号に伝送距離の影響により発生する減衰、ひずみ等の状況を解決でき、それに良好な補償を獲得させ、信号の正常で、安定した伝送を提供する。
【００１６】
前述の処理回路１の信号増強モジュール１５の各プルアップ抵抗１５２（Ｐｕｌｌ−ｕｐ  ｒｅｓｉｓｔｏｒ）の所定の抵抗値が大きいほど、電圧源１５１が入力信号に供給するバイアス電圧は小さくなる。各プルアップ抵抗１５２の所定抵抗値が小さいほど、電圧源１５１が入力信号に提供するバイアス電圧は大きくなり、すなわち、処理回路１の第１連接端１０で受け取るネットワークコネクタ３からの信号の伝送距離の遠近により、及び、第２連接端１１と電気的に接続されたネットワークチップ４の所定作業バイアス電圧により、適当な抵抗値のプルアップ抵抗１５２が処理回路１の各チャネル１２の二つの線路１２１上に並列接続され、電圧源１５１が提供するバイアス電圧が各プルアップ抵抗１５２により分圧調整された後に、さらに各線路１２１中の入力信号に提供され、これにより入力信号は補償されて、オリジナルの信号電圧レベルとなり、並びにネットワークチップ４の所定の作業バイアス電圧にマッチするものとなる。
【００１７】
図２、４は本考案の好ましい実施例の処理回路の回路図、別の実施例の処理回路の回路図である。これらの図から分かるように、前述の処理回路１は、データ伝送時に、ネットワーク伝送速度によりチャネル１２の使用の多寡を決定し、もし、使用者が使用するネットワーク速度が１０Ｍｂｐｓから１００Ｍｂｐｓである時（図２に示されるとおり）、それは二つのチャネル１２を使用する必要があり、信号増強モジュール１５の電圧源１５１はそれぞれ二つのチャネル１２の二つの線路１２１とそれぞれプルアップ抵抗１５２を介して並列に接続される。もし、使用者が使用するネットワーク速度が１０Ｍｂｐｓから１Ｇｂｐｓ或いは１０Ｇｂｐｓ以上であるなら（図４に示されるとおり）、それは４つのチャネル１２を使用する必要があり、信号増強モジュール１５の電圧源１５１はそれぞれ４つのチャネル１２の二つの線路１２１とそれぞれプルアップ抵抗１５２を介して並列に接続される。
【００１８】
図１と図３を参照されたい。それは本考案の好ましい実施例のブロック図、別の実施例のブロック図である。これらの図に示されるように、前述の処理回路１に設置された回路板２は、内部においてネットワークチップ４と電気的に接続され、ネットワークチップ４と処理回路１は電気的に導通し、すなわち処理回路１はさらに回路板２の外側のネットワークコネクタ３と電気的接続を呈する。或いは、処理回路１に設置された回路板２は、ネットワークコネクタ３の内部に設置され、すなわちネットワークコネクタ３と処理回路１が電気的に導通し、さらに処理回路１を介してネットワークコネクタ３外部の別の回路システムのネットワークチップ４と電気的に接続される。
【００１９】
前述の処理回路１のカプリングモジュール１３の第１コンデンサ１３１は、コンデンサの容量性リアクタンス特性により、電気を隔離し並びに信号をカプリングし、そのコンデンサの容量性リアクタンス特性の公式は、
ＸＣ＝１／（２π×ｆ×Ｃ）であり、そのうち、容量性リアクタンス（ＸＣ）単位は、オーム（Ω）とされる。周波数（ｆ）単位はヘルツ（Ｈｚ）とされる。キャパシタンス（Ｃ）の単位はファラッド（Ｆ）とされる。上述の公式から分かるように、容量性リアクタンスと作業周波数及びキャパシタンスは反比例をなし、ゆえに、同じキャパシタンスの第１コンデンサ１３１を使用し且つ信号周波数が増大する状況では、その容量性リアクタンスはそれにつれて減少し、すなわち信号の減衰も小さくなり、並びに良好な信号カプリング、伝送を提供し、良好なネットワーク接続及び信号伝送速度を有する。
【００２０】
前述の処理回路１の雑音干渉防止モジュール１４の各第２コンデンサ１４１は、ハイパス（Ｈｉｇｈ  Ｐａｓｓ）の効果を有し、第２コンデンサ１４１の設定キャパシタンスが下がるほど、その除去できる信号周波数は大きくなり、ゆえに、第２コンデンサ１４１の所定キャパシタンスを調整することで、信号を通過させつつ雑音を除去でき、それは電荷保存の能力を利用して周波数帯域中の比較的低い周波数部分の調波を吸収し、さらに低周波部分の調波を分流して雑音干渉防止モジュール１４の接地端１４２へといたらせ、これにより、低周波雑音を除去する効果を達成し、また、雑音干渉防止モジュール１４のインダクタ１４３はローパス（Ｌｏｗ  Ｐａｓｓ）の効果を有し、それは電流増加時にエネルギーが磁場の形式で暫時保存されることを利用し、これにより周波数中比較的高周波数の部分の調波を吸収でき、ゆえに入力信号を雑音干渉防止モジュール１４で処理することで、高周波部分と低周波部分の調波の発生がなく、これにより、安定した伝送の目的を達成する。
【００２１】
以上に述べられたのは本考案の好ましい実施例にすぎず、本考案の請求範囲を限定するものではなく、本考案は主に、ネットワーク信号増強回路に対するものであり、それは処理回路１と回路板２を有し、そのうち、処理回路１は回路板２上に設置され、且つ処理回路１の二側にはそれぞれ第１連接端１０、第２連接端１１が設けられ、第１連接端１０と第２連接端１１の間は複数のチャネル１２が接続され、各チャネル１２はそれぞれ二つの線路１２１を具え、また、各チャネル１２は、第１連接端１０から第２連接端１１に向けて、それぞれカプリングモジュール１３、雑音干渉防止モジュール１４、信号増強モジュール１５が設けられ、カプリングモジュール１３は各線路１２１上でそれぞれ第１コンデンサ１３１を有し、雑音干渉防止モジュール１４は各チャネル１２の二つの線路１２１間において、それぞれ二つの直列接続された二つの第２コンデンサ１４１がそれぞれ並列に接続され、且つ各二つの第２コンデンサ１４１は隣り合うチャネル１２の第２コンデンサ１４１に電気的に接続され、並びに各チャネル１２の二つの線路１２１上の二つの第２コンデンサ１４１間は接地端１４２に接続され、また、雑音干渉防止モジュール１４は各線路１２１上において、隣り合い並列接続された二つの第２コンデンサ１４１の他側が、さらにそれぞれインダクタ１４３に直列に接続され、且つ雑音干渉防止モジュール１４の他側の信号増強モジュール１５には電圧源１５１が設けられ、該電圧源１５１は外部の商用電源、発電機或いはバッテリーとされ得て、電圧源１５１は各線路１２１において、それぞれプルアップ抵抗１５２に並列に接続され、すなわち、該電圧源１５１が外部より供給される所定電圧バイアス電圧を受け取り、各プルアップ抵抗１５２の調整の後、バイアス電圧がそれぞれ各線路１２１に供給され、各線路１２１の入力信号の強度をアップし、この時各線路１２１は安定し連続した信号伝送の目的を達成する。
【００２２】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【００２３】
総合すると、本考案は確実にその予期された作用効果と目的を達成し、ゆえに実用性に優れた創作であり、実用新案登録の要件を満たしている。
【符号の説明】
【００２４】
１  処理回路
１０  第１連接端
１１  第２連接端
１２  チャネル
１２１  線路
１３  カプリングモジュール
１３１  第１コンデンサ
１４  雑音干渉防止モジュール
１４１  第２コンデンサ
１４２  接地端
１４３  インダクタ
１５  信号増強モジュール
１５１  電圧源
１５２  プルアップ抵抗
２  回路板
３  ネットワークコネクタ
４  ネットワークチップ
Ａ  信号伝送回路
Ｂ  第１連接端
Ｃ  第２連接端
Ｄ  伝送部
Ｄ１  伝送線
Ｅ  カプリング部
Ｅ１  カプリングコンデンサ
Ｆ  ろ波部
Ｆ１  ろ波インダクタ
【図１】
0003187459.tif 000003
【図２】
0003187459.tif 000004
【図３】
0003187459.tif 000005
【図４】
0003187459.tif 000006
【図５】
0003187459.tif 000007
【図６】
0003187459.tif 000008